(57)【要約】【課題】本発明は、ダイバーシティ受信による受信特性の改善を実現しつつ、従来より回路規模を縮小したＯＦＤＭ信号受信装置を提供する。【解決手段】ＯＦＤＭ信号受信装置１に備わる２つの受信系統のうち一方の受信系統には、他方の受信系統に含まれるＦＦＴ回路５１２の半分の回路規模のＦＦＴ回路５２２が含まれており、各受信系統において復調したデータをダイバーシティ処理することで、ＯＦＤＭ信号の有効キャリアの一部について、受信特性の改善を行う。【選択図】図１
2006203864.tif 000002
【特許請求の範囲】
【請求項１】
２Ｘ−１（Ｘ＞１：Ｘは正数）より大きく２Ｘ未満の正数であるＹ本の有効キャリアを含むＯＦＤＭ（直交周波数分割多重）信号を、複数のアンテナでダイバーシティ受信するＯＦＤＭ信号受信装置であって、
各アンテナが受信したＯＦＤＭ信号をそれぞれ独立して復調する複数の受信系統と、
各受信系統と接続され、各受信系統によりそれぞれ復調された各有効キャリアのデータ列を入力とするダイバーシティ処理部とを備え、
少なくとも１つの受信系統は、受信したＯＦＤＭ信号に含まれる２Ｚ（Ｘ＞Ｚ：Ｚは正数）本の各有効キャリアに乗っているデータ列のみを並列に高速フーリエ変換するＦＦＴ回路を含み、
他の受信系統のうちの少なくとも１つは、前記ＦＦＴ回路を含む受信系統において復調される２Ｚ本の有効キャリアに乗っているデータ列の一部又は全部を重複して復調し、
全受信系統によってＹ本の有効キャリアに乗っているデータ列を復調し、
前記ダイバーシティ処理部は、各受信系統により復調されたＹ本の各有効キャリアのデータ列のうち、重複して復調された有効キャリアのデータ列についてダイバーシティ処理を行う
ことを特徴とするＯＦＤＭ信号受信装置。
【請求項２】
前記複数の受信系統は、２つのアンテナにそれぞれ接続された第１の受信系統と第２の受信系統の２つであり、
第１の受信系統は、前記ＦＦＴ回路を含み、
第２の受信系統は、Ｙ本の各有効キャリアに乗っているデータ列を並列に高速フーリエ変換する第２のＦＦＴ回路を含み、
前記ダイバーシティ処理部は、各受信系統により復調された各有効キャリアのデータ列のうち、重複して復調された２Ｚ本の各有効キャリアのデータ列についてダイバーシティ処理を行う
ことを特徴とする請求項１記載のＯＦＤＭ信号受信装置。
【請求項３】
前記複数の受信系統は、２つのアンテナにそれぞれ接続された第１の受信系統と第２の受信系統の２つであり、
第１の受信系統及び第２の受信系統はそれぞれ前記ＦＦＴ回路を含み、各受信系統はそれぞれが復調する有効キャリアの一部を重複しつつ、前記Ｙ本の有効キャリアのデータ列を復調し、
前記ダイバーシティ処理部は、各受信系統により復調された各有効キャリアのデータ列のうち、重複して復調された有効キャリアのデータ列についてダイバーシティ処理を行う
ことを特徴とする請求項１記載のＯＦＤＭ信号受信装置。
【請求項４】
前記ＦＦＴ回路を含む受信系統は、当該ＦＦＴ回路の前段に、
受信したＯＦＤＭ信号の、当該受信系統が処理を行う帯域幅に応じた周波数帯域を通過させるフィルタ部と、
当該フィルタ部を通過したＯＦＤＭ信号をダウンサンプリングするダウンサンプリング部とを含む
ことを特徴とする請求項１記載のＯＦＤＭ信号受信装置。
【請求項５】
前記ＦＦＴ回路を含む受信系統は、当該ＦＦＴ回路の後段に、受信したＯＦＤＭ信号の伝送路特性を推定する検波部と、
前記フィルタ部の前段に、前記検波部により推定された伝送路特性に応じて、当該受信系統が処理を行う帯域の中心周波数を変換する周波数変換部とを含む
ことを特徴とする請求項４記載のＯＦＤＭ信号受信装置。
【請求項６】
２Ｘ−１（Ｘ＞１：Ｘは正数）より大きく２Ｘ未満の正数であるＹ本の有効キャリアを含むＯＦＤＭ（直交周波数分割多重）信号を、複数のアンテナでダイバーシティ受信するＯＦＤＭ信号受信装置に備わる集積回路であって、
各アンテナが受信したＯＦＤＭ信号をそれぞれ独立して復調する複数の受信系統と、
各受信系統と接続され、各受信系統によりそれぞれ復調された各有効キャリアのデータ列を入力とするダイバーシティ処理回路とを備え、
少なくとも１つの受信系統は、
受信したＯＦＤＭ信号に含まれる２Ｚ（Ｘ＞Ｚ：Ｚは正数）本の各有効キャリアに乗っているデータ列のみを並列に高速フーリエ変換するＦＦＴ回路を含み、
他の受信系統のうちの少なくとも１つは、前記ＦＦＴ回路を含む受信系統において復調される２Ｚ本の有効キャリアに乗っているデータ列の一部又は全部を重複して復調し、
全受信系統によってＹ本の有効キャリアに乗っているデータ列を復調し、
前記ダイバーシティ処理回路は、各受信系統により復調されたＹ本の各有効キャリアのデータ列のうち、重複して復調された有効キャリアのデータ列についてダイバーシティ処理を行う
ことを特徴とする集積回路。
【発明の詳細な説明】
【技術分野】
【０００１】
本発明は、ＯＦＤＭ（直交周波数分割多重：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号をダイバーシティ処理する技術に関する。
【背景技術】
【０００２】
ＯＦＤＭ方式は、マルチキャリアによるデジタル伝送方式の一つであり、日本の地上デジタル放送方式（ＩＳＤＢ−Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ  ｔｒａｎｓｍｉｓｓｉｏｎ）や欧州の地上デジタル放送方式（ＤＶＢ−Ｔ：Ｄｉｇｉｔａｌ  Ｖｉｄｅｏ  Ｂｒｏａｄｃａｓｔｉｎｇ−Ｔｅｒｒｅｓｔｒｉａｌ  ｔｒａｎｓｍｉｓｓｉｏｎ）等に採用されている。
【０００３】
図５は、ＯＦＤＭ信号の周波数配置を示す。
同図に示す有効キャリアとは、データが乗っているキャリアを指し、例えば、下記の非特許文献１において規定されているＩＳＤＢ−Ｔ方式／Ｍｏｄｅ３では、有効キャリアの帯域幅は５．５７２（ＭＨｚ）、キャリア間隔は０．９９２ｋＨｚ、キャリア数は５６１７本と規定されている。
【０００４】
送信側では、有効キャリア帯域の両端にガードバンドと呼ばれるキャリアを付加し、２のべき乗である合計８１９２本のキャリアを、サンプリング周波数Ｆｓ＝８．１２７（ＭＨｚ）でＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）を行ってＯＦＤＭ信号を生成し、送信する。
受信側では、送信側から送信されたＯＦＤＭ信号を受信して、直交復調、ＦＦＴ（Ｆａｓｔ  Ｆｏｕｒｉｅｒ  Ｔｒａｎｓｆｏｒｍ：高速フーリエ変換）演算、検波処理、誤り訂正処理等を行って復調する。
【０００５】
ＯＦＤＭ方式は、多数の有効キャリアにデータを分散して伝送するため、マルチパスなどによる周波数選択性の妨害に対して優れた受信特性を示す。
しかし、受信側が移動体であるといった厳しい受信環境では受信特性が悪化するので、複数のアンテナを用いて、それぞれのアンテナで受信したＯＦＤＭ信号をダイバーシティ処理する、いわゆるダイバーシティ受信を行うことで受信特性を改善することが考えられる。
【０００６】
下記の特許文献１には、ＯＦＤＭ信号をダイバーシティ受信する発明が開示されている。
【特許文献１】特許第３３８９１７８号公報
【非特許文献１】標準規格「地上デジタルテレビジョン放送の伝送方式」  ＡＲＩＢ  ＳＴＤ−Ｂ３１
【非特許文献２】標準規格「地上デジタル音声放送の伝送方式」  ＡＲＩＢ  ＳＴＤ−Ｂ２９
【発明の開示】
【発明が解決しようとする課題】
【０００７】
ところで、ＯＦＤＭ信号をダイバーシティ受信する従来の受信装置は、各アンテナ毎にそれぞれ独立してＯＦＤＭ信号を復調する受信系統を有し、受信系統の数が多ければそれだけ回路規模が増大するという課題を有している。
ダイバーシティ受信が必要とされる受信装置は、例えば、携帯電話機、カーナビゲーションシステム等、コンパクト化が求められる製品が想定され、回路規模の縮小が求められている。
【０００８】
そこで、本発明は、ダイバーシティ受信による受信特性の改善を実現しつつ、従来より回路規模を縮小したＯＦＤＭ信号受信装置及び当該装置に備わる集積回路を提供することを目的とする。
【課題を解決するための手段】
【０００９】
前記目的を達成するために、本発明に係るＯＦＤＭ信号受信装置は、２Ｘ−１（Ｘ＞１：Ｘは正数）より大きく２Ｘ未満の正数であるＹ本の有効キャリアを含むＯＦＤＭ（直交周波数分割多重）信号を、複数のアンテナでダイバーシティ受信するＯＦＤＭ信号受信装置であって、各アンテナが受信したＯＦＤＭ信号をそれぞれ独立して復調する複数の受信系統と、各受信系統と接続され、各受信系統によりそれぞれ復調された各有効キャリアのデータ列を入力とするダイバーシティ処理部とを備え、少なくとも１つの受信系統は、受信したＯＦＤＭ信号に含まれる２Ｚ（Ｘ＞Ｚ：Ｚは正数）本の各有効キャリアに乗っているデータ列のみを並列に高速フーリエ変換するＦＦＴ回路を含み、他の受信系統のうちの少なくとも１つは、前記ＦＦＴ回路を含む受信系統において復調される２Ｚ本の有効キャリアに乗っているデータ列の一部又は全部を重複して復調し、全受信系統によってＹ本の有効キャリアに乗っているデータ列を復調し、前記ダイバーシティ処理部は、各受信系統により復調されたＹ本の各有効キャリアのデータ列のうち、重複して復調された有効キャリアのデータ列についてダイバーシティ処理を行うことを特徴とする。
【００１０】
また、本発明に係る集積回路は、２Ｘ−１（Ｘ＞１：Ｘは正数）より大きく２Ｘ未満の正数であるＹ本の有効キャリアを含むＯＦＤＭ（直交周波数分割多重）信号を、複数のアンテナでダイバーシティ受信するＯＦＤＭ信号受信装置に備わる集積回路であって、各アンテナが受信したＯＦＤＭ信号をそれぞれ独立して復調する複数の受信系統と、各受信系統と接続され、各受信系統によりそれぞれ復調された各有効キャリアのデータ列を入力とするダイバーシティ処理回路とを備え、少なくとも１つの受信系統は、受信したＯＦＤＭ信号に含まれる２Ｚ（Ｘ＞Ｚ：Ｚは正数）本の各有効キャリアに乗っているデータ列のみを並列に高速フーリエ変換するＦＦＴ回路を含み、他の受信系統のうちの少なくとも１つは、前記ＦＦＴ回路を含む受信系統において復調される２Ｚ本の有効キャリアに乗っているデータ列の一部又は全部を重複して復調し、全受信系統によってＹ本の有効キャリアに乗っているデータ列を復調し、前記ダイバーシティ処理回路は、各受信系統により復調されたＹ本の各有効キャリアのデータ列のうち、重複して復調された有効キャリアのデータ列についてダイバーシティ処理を行うことを特徴とする。
【発明の効果】
【００１１】
受信系統に含まれる各回路のうち、ＦＦＴ演算処理を行うＦＦＴ回路が特に大きく、その大きさは、同時に並行してＦＦＴ演算処理することが可能な演算処理数（以下、「ＦＦＴポイント数」という。）に比例する。
例えば、ＩＳＤＢ−Ｔ方式／Ｍｏｄｅ３のＯＦＤＭ信号の場合、有効キャリア数が５６１７本であるため、従来装置では、２のべき乗である８１９２ＦＦＴポイント数のＦＦＴ回路が各受信系統に含まれている。
【００１２】
なお、８１９２ＦＦＴポイント数のＦＦＴ回路は、４０９６ＦＦＴポイント数のＦＦＴ回路の約倍の大きさの回路規模になる。
上述のＯＦＤＭ信号受信装置又は集積回路の構成によれば、少なくとも１つの受信系統におけるＦＦＴ回路は、全有効キャリア数Ｙ本より少ない２Ｚ本の有効キャリアに乗っているデータ列についてのみ並列にＦＦＴすることが可能であればよいので、Ｙより大きい２ＸＦＦＴポイント数の演算処理が可能なＦＦＴ回路を各受信系統に含んでいた従来装置より、回路規模を縮小することができる。
【００１３】
ここで、前記複数の受信系統は、２つのアンテナにそれぞれ接続された第１の受信系統と第２の受信系統の２つであり、第１の受信系統は、前記ＦＦＴ回路を含み、第２の受信系統は、Ｙ本の各有効キャリアに乗っているデータ列を並列に高速フーリエ変換する第２のＦＦＴ回路を含み、前記ダイバーシティ処理部は、各受信系統により復調された各有効キャリアのデータ列のうち、重複して復調された２Ｚ本の各有効キャリアのデータ列についてダイバーシティ処理を行うとしてもよい。
【００１４】
この構成により、第１の受信系統に含まれるＦＦＴ回路の規模を、従来装置に備わるＦＦＴ回路より縮減することができる。
ここで、前記複数の受信系統は、２つのアンテナにそれぞれ接続された第１の受信系統と第２の受信系統の２つであり、第１の受信系統及び第２の受信系統はそれぞれ前記ＦＦＴ回路を含み、各受信系統はそれぞれが復調する有効キャリアの一部を重複しつつ、前記Ｙ本の有効キャリアのデータ列を復調し、前記ダイバーシティ処理部は、各受信系統により復調された各有効キャリアのデータ列のうち、重複して復調された有効キャリアのデータ列についてダイバーシティ処理を行うとしてもよい。
【００１５】
この構成により、第１の受信系統及び第２の受信系統それぞれに含まれるＦＦＴ回路の規模を、各受信系統がそれぞれ復調する有効キャリアの一部を重複しつつ、従来装置に備わるＦＦＴ回路より縮減することができる。
ここで、前記ＦＦＴ回路を含む受信系統は、当該ＦＦＴ回路の前段に、受信したＯＦＤＭ信号の、当該受信系統が処理を行う帯域幅に応じた周波数帯域を通過させるフィルタ部と、当該フィルタ部を通過したＯＦＤＭ信号をダウンサンプリングするダウンサンプリング部とを含むとしてもよいし、また、前記ＦＦＴ回路を含む受信系統は、当該ＦＦＴ回路の後段に、受信したＯＦＤＭ信号の伝送路特性を推定する検波部と、前記フィルタ部の前段に、前記検波部により推定された伝送路特性に応じて、当該受信系統が処理を行う帯域の中心周波数を変換する周波数変換部とを含むとしてもよい。
【００１６】
この構成により、妨害を多く受けた有効キャリアを選択的にダイバーシティ処理を行って補間することができる。
【発明を実施するための最良の形態】
【００１７】
以下、本発明の一実施形態について、図面を用いて説明する。
＜構成＞
図１は、ＯＦＤＭ信号受信装置１の構成を示す図である。
同図に示すＯＦＤＭ信号受信装置１は、ＩＳＤＢ−Ｔ方式／Ｍｏｄｅ３に対応した受信装置であり、アンテナ１１、１２、チューナ２１、２２、Ａ／Ｄ変換部３１、３２、周波数変換部３３、ＬＰＦ（ローパスフィルター）３４、ダウンサンプル部３５、直交復調部４１、４２、Ｓ／Ｐ（シリアル／パラレル）変換部５１１、５２１、ＦＦＴ回路５１２、５２２、Ｐ／Ｓ（パラレル／シリアル）変換部５１３、５２３、検波部６１、６２、ダイバーシティ処理部７１、誤り訂正部８１及びデコーダ９１を備える。
【００１８】
なお、チューナ２１、２２、Ａ／Ｄ変換部３１、３２、周波数変換部３３、ＬＰＦ３４、ダウンサンプル部３５、直交復調部４１、４２、Ｓ／Ｐ変換部５１１、５２１、ＦＦＴ回路５１２、５２２、Ｐ／Ｓ変換部５１３、５２３、検波部６１、６２、ダイバーシティ処理部７１及び誤り訂正部８１は、１つの集積回路（ＬＳＩ）で実現している。
また、アンテナ１１、チューナ２１、Ａ／Ｄ変換部３１、直交復調部４１、Ｓ／Ｐ変換部５１１、ＦＦＴ回路５１２、Ｐ／Ｓ変換部５１３及び検波部６１から成る受信系統をブランチＡと呼び、アンテナ１２、チューナ２２、Ａ／Ｄ変換部３２、周波数変換部３３、ＬＰＦ３４、ダウンサンプル部３５、直交復調部４２、Ｓ／Ｐ変換部５２１、ＦＦＴ回路５２２、Ｐ／Ｓ変換部５２３及び検波部６２から成る受信系統をブランチＢと呼ぶことにする。
【００１９】
まず、ブランチＡについて説明する。
アンテナ１１により受信されたＯＦＤＭ信号は、チューナ２１に入力され選局される。
選局された信号は、Ａ／Ｄ変換部３１によりデジタルデータに変換される。
Ａ／Ｄ変換部３１により変換されたデジタルデータは、直交復調部４１に入力され、直交復調される。
【００２０】
直交復調部４１により直交復調されたデジタルデータは、Ｓ／Ｐ変換部５１１に入力され、ＦＦＴ回路５１２のＦＦＴポイント数に応じたパラレルデータに変換される。
ＦＦＴ回路５１２は、８１９２ＦＦＴポイント数のＦＦＴ演算処理を並列に行うことが可能な回路である。
Ｓ／Ｐ変換部５１１は、直交復調されたシリアルなデジタルデータを、８１９２ＦＦＴポイント数分のパラレルデータに変換する。
【００２１】
パラレールデータは、ＦＦＴ回路５１２に並列入力され、ＦＦＴ演算処理がなされる。その結果、時系列別のパラレルデータが周波数別のパラレルデータに変換される。
変換されたパラレルデータは、Ｐ／Ｓ変換部５１３により、再びシリアルデータに変換され、検波部６１に入力される。
検波部６１は、入力されたシリアルデータからＳＰ（Ｓｃａｔｔｅｒｅｄ  Ｐｉｌｏｔ）と呼ばれる既知情報を検出することで伝送路特性を推定して同期検波を行う。また、１シンボル前のデータをメモリに保存しておき、入力されたデータと１シンボル前のデータにより差動検波も行う。
【００２２】
次にブランチＢについて説明する。
アンテナ１２により受信されたＯＦＤＭ信号は、チューナ２２に入力され選局される。
選局された信号は、Ａ／Ｄ変換部３２によりデジタルデータに変換される。
Ａ／Ｄ変換部３２により変換されたデジタルデータは、周波数変換部３３に入力され、中心周波数の変換が行われる。中心周波数は、任意に選択可能であり、伝送路環境によって妨害を多く受けたキャリアを補間するように選択することもできる。
【００２３】
周波数変換部３３により中心周波数の変換が行われたデジタルデータは、ＬＰＦ３４に入力され、ブランチＢが処理を行う周波数帯域のみを通過させる。
ＬＰＦ３４を通過したデジタルデータは、ダウンサンプル部３５に入力され、ダウンサンプリングされる。
ダウンサンプル部３５によりダウンサンプリングされたデジタルデータは、直交復調部４２に入力され、直交復調される。
【００２４】
直交復調部４２により直交復調されたデジタルデータは、Ｓ／Ｐ変換部５２１に入力され、ＦＦＴ回路５２２のＦＦＴポイント数に応じたパラレルデータに変換される。
ＦＦＴ回路５２２は、４０９６ＦＦＴポイント数のＦＦＴ演算処理を並行に行うことが可能な回路である。
Ｓ／Ｐ変換部５２１は、直交復調されたシリアルなデジタルデータを、４０９６ＦＦＴポイント数分のパラレルデータに変換する。
【００２５】
パラレールデータは、ＦＦＴ回路５２２に並列入力され、ＦＦＴ演算処理がなされる。その結果、時系列別たったパラレルデータが周波数別のパラレルデータに変換される。
変換されたデータは、Ｐ／Ｓ変換部５２３により、再びシリアルデータに変換され、検波部６２に入力される。
検波部６２は、入力されたシリアルデータに基づいて同期検波及び差動検波を行う。
【００２６】
ダイバーシティ処理部７１は、検波部６１及び検波部６２からそれぞれ出力されたデジタルデータのうち、重複して復調された有効キャリアのデータを合成する処理を行う。
合成処理の手法としては、各有効キャリアの電力比に応じた最大比合成が一般的である。
この合成処理により、各有効キャリア別に信号対雑音比が最大になるようにデジタルデータが合成されるため、１ブランチによる受信と比較して、受信性能を大きく改善することができる。
【００２７】
ダイバーシティ処理部７１から出力されたデジタルデータは、誤り訂正部８１に入力され、誤り訂正処理がなされる。
誤り訂正がなされたデジタルデータは、デコーダ９１に入力され、音声信号及び映像信号として出力される。
＜ダイバーシティ処理＞
ここで、ダイバーシティ処理部７１が行うダイバーシティ処理について説明する。
【００２８】
図２は、ブランチＡ及びブランチＢそれぞれが復調処理する帯域ｆａ及び帯域ｆｂと、ダイバーシティ処理が行われる帯域を示した図である。
ＦＦＴサンプリング周波数Ｆｓは、５１２／６３（ＭＨｚ）であり、約８．１２７ＭＨｚである。
ブランチＡが復調処理を行う帯域ｆａは、ＦＦＴサンプリング周波数Ｆｓに等しく、キャリア本数５６１７本、５．５７２ＭＨｚの帯域幅の有効キャリアをカバーしている。
【００２９】
一方、ブランチＢが復調処理を行う帯域ｆｂの帯域幅は、Ｆｓ／２、すなわち約４．０６３ＭＨｚであり、有効キャリアの一部である４０９６本のみをカバーしている。
よって、ブランチＢがカバーする４０９６本の有効キャリアがキャリア合成されることになり、全有効キャリア５６１７本のうちの約７３％（＝４０９６／５６１７×１００）については、ダイバーシティ受信による受信特性の改善効果が期待できる。
【００３０】
なお、その効果は、全有効キャリアについてダイバーシティ処理する従来装置に比べると劣ることになるが、全くダイバーシティ処理を行わないものよりは改善され、且つ、ブランチＢは回路規模がＦＦＴ回路５１２比べて約半分となるＦＦＴ回路５２２が用いられていることから、従来装置より集積回路全体の回路規模を縮小することができるという効果が得られる。
＜変形例＞
次に変形例を説明する。
【００３１】
図３は、ＯＦＤＭ信号受信装置１Ａの構成を示す図である。
ＯＦＤＭ信号受信装置１Ａは、ＩＳＤＢ−Ｔ方式／Ｍｏｄｅ３に対応した受信装置であり、アンテナ１１、１２、チューナ２１、２２、Ａ／Ｄ変換部３１、３２、周波数変換部３３、３６、ＬＰＦ３４、３７、ダウンサンプル部３５、３８、直交復調部４１、４２、Ｓ／Ｐ変換部５１１Ａ、５２１、ＦＦＴ回路５１２Ａ、５２２、Ｐ／Ｓ変換部５１３Ａ、５２３、検波部６１、６２、ダイバーシティ処理部７１Ａ、誤り訂正部８１及びデコーダ９１を備える。
【００３２】
図３に示すように、チューナ２１、２２、Ａ／Ｄ変換部３１、３２、周波数変換部３３、３６、ＬＰＦ３４、３７、ダウンサンプル部３５、３８、直交復調部４１、４２、Ｓ／Ｐ変換部５１１Ａ、５２１、ＦＦＴ回路５１２Ａ、５２２、Ｐ／Ｓ変換部５１３Ａ、５２３、検波部６１、６２、ダイバーシティ処理部７１Ａ及び誤り訂正部８１は、１つの集積回路（ＬＳＩ）で実現している。
【００３３】
また、アンテナ１１、チューナ２１、Ａ／Ｄ変換部３１、周波数変換部３６、ＬＰＦ３７、ダウンサンプル部３８、直交復調部４１、Ｓ／Ｐ変換部５１１Ａ、ＦＦＴ回路５１２Ａ、Ｐ／Ｓ変換部５１３Ａ及び検波部６１から成る受信系統をブランチＣと呼び、アンテナ１２、チューナ２２、Ａ／Ｄ変換部３２、周波数変換部３３、ＬＰＦ３４、ダウンサンプル部３５、直交復調部４２、Ｓ／Ｐ変換部５２１、ＦＦＴ回路５２２、Ｐ／Ｓ変換部５２３及び検波部６２から成る受信系統をブランチＤと呼ぶことにする。
【００３４】
ブランチＣでは、有効キャリアのうち、周波数が低い方から４０９６本の有効キャリアを復調し、ブランチＤでは、周波数の高い方から４０９６本の有効キャリアを復調するように、復調する帯域がそれぞれ固定されている。
ブランチＣ、Ｄは、上述のＯＦＤＭ信号受信装置１におけるブランチＢと構成が同じであり、誤り訂正部８１及びデコーダ９１についても、ＯＦＤＭ信号受信装置１における同符号のものと同じであるので、説明を省略する。
＜ダイバーシティ処理＞
ここで、ダイバーシティ処理部７１Ａが行うダイバーシティ処理について説明する。
【００３５】
図４は、ブランチＣ及びブランチＤそれぞれが復調処理する帯域ｆｃ及び帯域ｆｄと、ダイバーシティ処理が行われる帯域を示した図である。
ブランチＣが復調処理を行う帯域ｆｃの帯域幅は、Ｆｓ／２であり、有効キャリアの周波数の低い方から４０９６本をカバーしている。
ブランチＤが復調処理を行う帯域ｆｄの帯域幅は、同じくＦｓ／２であり、有効キャリアの周波数の高い方から４０９６本をカバーしている。
【００３６】
よって、ブランチＣがカバーする４０９６本の有効キャリアと、ブランチＤがカバーする４０９６本の有効キャリアとがそれぞれ重複する２５７５本の有効キャリアが、キャリア合成されることになり、全有効キャリア５６１７本のうちの約４５％（＝２５７５／５６１７×１００）が、ダイバーシティ受信による受信特性の改善効果を期待できる。
上述のＯＦＤＭ信号受信装置１に比べてＯＦＤＭ信号受信装置１Ａは、受信特性の改善効果が劣ることになるが、ブランチＣ及びブランチＤそれぞれに含まれるＦＦＴ回路をいずれも、従来のものより半分の回路規模にすることができるので、ＯＦＤＭ信号受信装置１より回路規模を縮小することができる。
＜補足＞
以上、本発明の実施形態について説明したが、本発明は上述の実施形態に限定されるものでないことは、勿論である。
（１）上述の実施形態のＯＦＤＭ信号受信装置１、１Ａは、ＩＳＤＢ−Ｔ方式／Ｍｏｄｅ３のＯＦＤＭ信号を受信する受信装置であったが、本発明は、他の方式、例えば、ＩＳＤＢ−Ｔ方式／Ｍｏｄｅ１及びＭｏｄｅ２、 ＤＶＢ−Ｔ方式に対応したＯＦＤＭ信号受信装置にも適用できる。
（２） 上述の実施形態のＯＦＤＭ信号受信装置１において、ブランチＢに含まれるＦＦＴ回路５２２は、４０９６ＦＦＴポイント数のＦＦＴ演算処理を並行に行うことが可能な回路であったが、更に小規模な２０４８ＦＦＴポイント数のＦＦＴ回路、或いは１０２４ＦＦＴポイント数のＦＦＴ回路を用いてもよい。
（３）上述の実施形態のＯＦＤＭ信号受信装置は、２つの受信系統を備えていたが、２つに限られず、３つ、或いは４つの受信系統を備えたＯＦＤＭ信号受信装置に本発明を適用することができる。
（４）上述の実施形態で説明したブランチＢ、Ｃ、Ｄでは、Ａ／Ｄ変換後のデータに対してＬＰＦ３４、３７による帯域制限を行ったが、Ａ／Ｄ変換前のアナログ信号に対して帯域制限を行ってもよい。また、直交復調後のデータに対してフィルタ処理及びダウンサンプル処理が行われるよう構成することも可能である。
（５）ブランチＢが復調処理する帯域については、例えば、ブランチＡが復調処理する帯域と中心周波数を同一にするほか、中心周波数をずらすことも可能である。例えば、伝送路特性に応じて、中心周波数を適応的に変更することにより、より高いダイバーシティ効果を得ることができる。
（６）上述の実施形態では、各ブランチがそれぞれＦＦＴ回路を含む構成となっていたが、１つのＦＦＴ回路５２２を各ブランチが共有し、各ブランチで受信したＯＦＤＭ信号を時分割でＦＦＴ回路５２２に入力して、各ブランチの復調処理を行うようにしてもよい。
（７）図１及び図３に示した集積回路は、各機能部別にチップ化されてもよいし、一部の機能部のみを含むようにチップ化されてもよい。また、集積回路は、その集積度の違いにより、ＩＣ、システムＬＳＩ、スーパーＬＳＩ、ウルトラＬＳＩと呼称されることもある。
【００３７】
集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを用いてもよい。
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性として考えられる。
【産業上の利用可能性】
【００３８】
本発明は、ＯＦＤＭ信号をダイバーシティ受信する受信装置に適用することができる。
【図面の簡単な説明】
【００３９】
【図１】ＯＦＤＭ信号受信装置１の構成を示す図である。
【図２】ブランチＡ及びブランチＢそれぞれが復調処理する帯域ｆａ及び帯域ｆｂと、ダイバーシティ処理が行われる帯域を示した図である。
【図３】ＯＦＤＭ信号受信装置１Ａの構成を示す図である。
【図４】ブランチＣ及びブランチＤそれぞれが復調処理する帯域ｆｃ及び帯域ｆｄと、ダイバーシティ処理が行われる帯域を示した図である。
【図５】ＯＦＤＭ信号の周波数配置を示す。
【符号の説明】
【００４０】
１  ＯＦＤＭ信号受信装置
１１、１２  アンテナ
２１、２２  チューナ
３１、３２  Ａ／Ｄ変換部
３３、３６  周波数変換部
３４、３７  ＬＰＦ
３５、３８  ダウンサンプル部
４１、４２  直交復調部
５１１、５２１  Ｓ／Ｐ変換部
５１２、５２２、５１２Ａ  ＦＦＴ回路
５１３、５２３  Ｐ／Ｓ変換部
６１、６２  検波部
７１  ダイバーシティ処理部
８１  誤り訂正部
９１  デコーダ
【図１】
2006203864.tif 000003
【図２】
2006203864.tif 000004
【図３】
2006203864.tif 000005
【図４】
2006203864.tif 000006
【図５】
2006203864.tif 000007